(57)【要約】【課題】精度の高い加工を多数施すことなく内周側回転子と外周側回転子の回動規制精度を高められるようにして、製造コストの低減を図ることのできる電動機を提供する。【解決手段】内周側永久磁石９Ｂを有する内周側回転子６の外側に、外周側永久磁石９Ａを有する外周側回転子５を同軸にかつ相対回動可能に配置する。内周側回転子６と外周側回転子５を相対回動させて両者の相対的な位相を変更する位相変更手段１２を設ける。位相変更手段１２は、内周に仕切壁２１を有する環状ハウジング１５と、外周にベーン１８を有するベーンロータ１４を備え、仕切壁２１とベーン１８の間に作動室２４，２５が形成される。仕切壁２１は、回転子５，６の相対回動時に、隣接するベーン１８に当接するストッパ仕切壁２１Ａと、隣接するベーン１８に当接しない通常仕切壁２１Ｂとから構成する。【選択図】図１
2009027857.tif 000002
【特許請求の範囲】
【請求項１】
円周方向に沿うように内周側永久磁石が配設された内周側回転子と、
この内周側回転子の外周側に同軸にかつ相対回動可能に配設されるとともに、円周方向に沿うように外周側永久磁石が配設された外周側回転子と、
前記内周側回転子と外周側回転子を相対回動させて両者の相対的な位相を変更する位相変更手段と、を備え、
前記位相変更手段は、内周に円周方向に離間して複数の仕切壁を有し前記内周側回転子と外周側回転子のいずれか一方と一体に回転する環状ハウジングと、この環状ハウジングの内側に配置され、外周に前記仕切壁間に突出するベーンを有するとともに前記内周側回転子と外周側回転子のいずれか他方と一体に回転するベーンロータを備え、前記仕切壁とベーンの間に形成される液室に作動液を給排して前記内周側回転子と外周側回転子を相対回動させる構成とされている電動機において、
前記環状ハウジングの複数の仕切壁は、前記内周側回転子と外周側回転子の相対回動時に、隣接するベーンに当接して回動ストッパとして機能するストッパ仕切壁と、隣接するベーンに当接しない通常仕切壁と、から成ることを特徴とする電動機。
【請求項２】
前記ストッパ仕切壁は、前記環状ハウジングの回転中心に対して対称に配置されていることを特徴とする請求項１に記載の電動機。
【請求項３】
前記仕切壁とベーンは、前記環状ハウジングとベーンロータの回転中心に対して対称に偶数個設けられていることを特徴とする請求項２に記載の電動機。
【請求項４】
前記ベーンロータが、前記環状ハウジングの軸方向の端部を跨いで径方向外側に延出する端板によって前記外周側回転子に結合され、前記端板が前記各液室の端部を閉塞する請求項１〜３のいずれか１項に記載の電動機において、
前記端板に対面する前記仕切壁の端面に、作動液を保持する保持溝を設けたことを特徴とする電動機。
【請求項５】
前記仕切壁の頂部と前記ベーンの頂部に、ベーンロータと環状ハウジングの周面に夫々密接するシール部材と、この各シール部材を密接する相手部材方向に付勢する付勢部材とが設けられている請求項１〜４のいずれか１項に記載の電動機において、
前記仕切壁の頂部に設けられる付勢部材の付勢力を、前記ベーンの頂部に設けられる付勢部材の付勢力よりも大きくしたことを特徴とする電動機。
【発明の詳細な説明】
【技術分野】
【０００１】
この発明は、回転子の永久磁石の界磁特性を変更できる電動機に関するものである。
【背景技術】
【０００２】
電動機として、夫々個別に永久磁石を備える内周側回転子と外周側回転子とが同軸に配設され、この両回転子を油圧による位相変更手段によって周方向に相対的に回動させ、回転子全体としての界磁特性を変更できるようにしたものが知られている（例えば、特許文献１参照。）。
【０００３】
この電動機の位相変更手段は、内周に複数の仕切壁を有する環状ハウジングと、この環状ハウジングの内側に配置され、外周に前記仕切壁間に突出するベーンを有するベーンロータとを備え、仕切壁とベーンの間に形成される液室に作動液を適宜給排することによって環状ハウジングとベーンロータを相対回動させるようになっている。そして、環状ハウジングとベーンロータは内周側回転子と外周側回転子の各一方と一体化されている。
また、この電動機においては、位相変更手段を構成する環状ハウジング側の仕切壁とベーンロータ側のベーンが、内周側回転子と外周側回転子の相対回動を規制するストッパとして機能するようになっている。
【特許文献１】特開２００４−７２９７８号公報
【発明の開示】
【発明が解決しようとする課題】
【０００４】
しかし、この従来の電動機においては、環状ハウジング側の仕切壁とベーンロータ側のベーンが相互に当接することによって両回転子の回動ストッパとして機能するようになっているため、両回転子の回動規制精度を高めるためには複数の仕切壁とベーンをすべて同様に精度良く加工する必要があり、このことが製造コストの高騰に繋がることが懸念されている。
【０００５】
そこでこの発明は、精度の高い加工を多数施すことなく内周側回転子と外周側回転子の回動規制精度を高められるようにして、製造コストの低減を図ることのできる電動機を提供しようとするものである。
【課題を解決するための手段】
【０００６】
上記の課題を解決する請求項１に記載の発明は、円周方向に沿うように内周側永久磁石（例えば、後述の実施形態における内周側永久磁石９Ｂ）が配設された内周側回転子（例えば、後述の実施形態における内周側回転子６）と、この内周側回転子の外周側に同軸にかつ相対回動可能に配設されるとともに、円周方向に沿うように外周側永久磁石（例えば、後述の実施形態における外周側永久磁石９Ａ）が配設された外周側回転子（例えば、後述の実施形態における外周側回転子５）と、前記内周側回転子と外周側回転子を相対回動させて両者の相対的な位相を変更する位相変更手段（例えば、後述の実施形態における位相変更手段１２）と、を備え、前記位相変更手段は、内周に円周方向に離間して複数の仕切壁（例えば、後述の実施形態における仕切壁２１）を有し前記内周側回転子と外周側回転子のいずれか一方と一体に回転する環状ハウジング（例えば、後述の実施形態における環状ハウジング１５）と、この環状ハウジングの内側に配置され、外周に前記仕切壁間に突出するベーン（例えば、後述の実施形態におけるベーン１８）を有するとともに前記内周側回転子と外周側回転子のいずれか他方と一体に回転するベーンロータ（例えば、後述の実施形態におけるベーンロータ１４）を備え、前記仕切壁とベーンの間に形成される液室（例えば、後述の実施形態における進角側作動室２４および側作動室２５）に作動液を給排して前記内周側回転子と外周側回転子を相対回動させる構成とされている電動機において、前記環状ハウジングの複数の仕切壁は、前記内周側回転子と外周側回転子の相対回動時に、隣接するベーンに当接して回動ストッパとして機能するストッパ仕切壁（例えば、後述の実施形態におけるストッパ仕切壁２１Ａ）と、隣接するベーンに当接しない通常仕切壁（例えば、後述の実施形態における通常仕切壁２１Ｂ）と、から成ることを特徴とする。
これにより、内周側回転子と外周側回転子の相対回動時には、環状ハウジングの複数の仕切壁のうちの、ストッパ仕切壁のみが隣接するベーンに当接し、残余の通常仕切壁は隣接するベーンに当接することがなくなる。したがって、ストッパ仕切壁だけを精度良く加工すれば両回転子の回動規制精度を高めることが可能になる。
【０００７】
請求項２に記載の発明は、請求項１に記載の電動機において、前記ストッパ仕切壁は、前記環状ハウジングの回転中心に対して対称に配置されていることを特徴とする。
これにより、複数のストッパ仕切壁が回転中心回りでバランスするようになる。
【０００８】
請求項３に記載の発明は、請求項２に記載の電動機において、前記仕切壁とベーンは、前記環状ハウジングとベーンロータの回転中心に対して対称に偶数個設けられていることを特徴とする。
これにより、仕切壁とベーンが夫々回転中心回りでバランスするようになる。
【０００９】
請求項４に記載の発明は、請求項１〜３のいずれか１項に記載の電動機において、前記ベーンロータが、前記環状ハウジングの軸方向の端部を跨いで径方向外側に延出する端板（例えば、後述の実施形態におけるドライブプレート１６）によって前記外周側回転子に結合され、前記端板が前記各液室の端部を閉塞する請求項１〜３のいずれか１項に記載の電動機において、前記端板に対面する前記仕切壁の端面に、作動液を保持する保持溝（例えば、後述の実施形態における保持溝３１）を設けたことを特徴とする。
これにより、保持溝に保持される作動液によって仕切壁の端面と端板の間が潤滑されるとともに、隣接する液室間が密閉されるようになる。
【００１０】
請求項５に記載の発明は、請求項１〜４のいずれか１項に記載の電動機において、前記仕切壁の頂部と前記ベーンの頂部に、ベーンロータと環状ハウジングの周面に夫々密接するシール部材（例えば、後述の実施形態におけるシール部材３３，３６）と、この各シール部材を密接する相手部材方向に付勢する付勢部材（例えば、後述の実施形態における板ばね３４，３７）とが設けられている請求項１〜４のいずれか１項に記載の電動機において、前記仕切壁の頂部に設けられる付勢部材の付勢力を、前記ベーンの頂部に設けられる付勢部材の付勢力よりも大きくしたことを特徴とする。
この場合、仕切壁の頂部のシール部材に作用する遠心力はベーンロータの周面から離反する方向に作用し、ベーンの頂部のシール部材に作用する遠心力は環状ハウジングの周面に押し付ける方向に作用する。電動機の回転速度が上昇した場合にあっても、仕切壁側の付勢部材の付勢力がベーン側の付勢部材の付勢力よりも予め大きく設定されているため、仕切壁側とベーン側のシール部材の密接力に大きな差が生じなくなる。
【発明の効果】
【００１１】
請求項１に記載の発明によれば、環状ハウジングの仕切壁を、内周側回転子と外周側回転子の相対回動時に、隣接するベーンに当接するストッパ仕切壁と、隣接するベーンに当接しない通常仕切壁とから構成したため、ストッパ仕切壁のみを精度良く加工することで両回転子の回動規制精度を高められるようになり、その結果、製造コストの高騰を招くことなく、内周側回転子と外周側回転子の回動規制精度を高めることが可能になる。
【００１２】
請求項２に記載の発明によれば、複数のストッパ仕切壁が回転中心回りでバランスするため、ストッパ仕切壁が電動機の回転に悪影響を及ぼす心配が無く、組付時のバランス修正作業を軽減することが可能になる。
【００１３】
請求項３に記載の発明によれば、さらに仕切壁とベーンが全体で回転中心回りでバランスするため、組付時のバランス修正作業をさらに軽減することができる。
【００１４】
請求項４に記載の発明によれば、端板に対面する仕切壁の端面に保持溝を形成し、その保持溝に保持される作動液によって仕切壁と端板の間を潤滑しつつ、隣接する液室間を密閉することができるため、耐久性の向上と位相変更手段の作動の円滑化を図ることができる。
【００１５】
請求項５に記載の発明によれば、仕切壁の頂部に設けられる付勢部材の付勢力を、ベーンの頂部に設けられる付勢部材の付勢力よりも大きくして、仕切壁側のシール部材とベーン側のシール部材に夫々離反方向と押圧方向に作用する遠心力の影響を少なくできるようにしたため、シール部材の不要な磨耗を抑制しつつ、電動機を高回転で運転したときにおける液室からの作動液の漏れを効率良く防止することができる。
【発明を実施するための最良の形態】
【００１６】
以下、この発明の一実施形態を図面に基づいて説明する。
この実施形態の電動機１は、図１〜図３に示すように円環状の固定子２（図２参照。）の内周側に回転子ユニット３が配置されたインナロータ型のブラシレスＤＣモータであり、例えばハイブリッド車両や電動車両等の走行駆動源として用いられる。固定子２は複数相の固定子巻線２ａを有し、回転子ユニット３は軸芯部に回転軸４を有している。車両の走行駆動源として用いる場合には、電動機１の回転力はトランスミッション（図示せず。）を介して車輪の駆動軸（図示せず。）に伝達される。この場合、電動機１は車両の減速時に発電機として機能させれば、発電電力を回生エネルギーとして蓄電器に回収することもできる。また、ハイブリッド車両においては、電動機１の回転軸４をさらに内燃機関のクランクシャフト（図示せず。）に連結することにより、内燃機関による発電にも利用することができる。
【００１７】
回転子ユニット３は、円環状の外周側回転子５と、この外周側回転子５の内側に同軸に配置される円環状の内周側回転子６を備え、外周側回転子５と内周側回転子６が設定角度の範囲で相対回動可能とされている。
【００１８】
外周側回転子５と内周側回転子６は、回転子本体である円環状のロータ鉄心７，８が、例えば、複数の電磁鋼板を回転軸４に沿う方向に積層して成る積層鋼板によって形成されており、その各ロータ鉄心７，８に複数の磁石装着スロット７ａ…，８ａ…が円周方向に沿って形成されている。各磁石装着スロット７ａ，８ａには、厚み方向に磁化された平板状の外周側永久磁石９Ａと内周側永久磁石９Ｂが夫々装着されている。そして、磁石装着スロット７ａ…，８ａ…は、外周側回転子５上と内周側回転子６上で夫々円周方向で隣接するもの２つが一組を成し、図１に示すように、各組の磁石装着スロット７ａ，７ａおよび８ａ，８ｂに同磁極が同方向を向くように外周側永久磁石９Ａ，９Ａと内周側永久磁石９Ｂ，９Ｂが夫々装着されている。また、外周側回転子５上の隣接する磁石装着スロット７ａの組に装着される外周側永久磁石９Ａ同士は磁極の向きが逆向きになり、内周側回転子６上の隣接する磁石装着スロット８ａの組に装着される内周側永久磁石９Ｂ同士も磁極の向きが逆向きになっている。すなわち、外周側回転子５においては、外周側がＮ極とされた外周側永久磁石９Ａの対とＳ極とされた外周側永久磁石９Ａの対が、円周方向に交互に並んで配置されており、内周側回転子６も同様に、外周側がＮ極とされた内周側永久磁石９Ｂの対と、Ｓ極とされた内周側永久磁石９Ｂの対が円周方向に交互に並んで配置されている。
【００１９】
外周側回転子５と内周側回転子６の磁石装着スロット７ａ…，８ａ…は夫々同数設けられ、両回転子５，６の永久磁石９Ａ，９Ｂが夫々１対１で対応するようになっている。したがって、外周側回転子５と内周側回転子６の各磁石装着スロット７ａ，８ａ内の永久磁石９Ａ，９Ｂを互いに同極同士で対向させる（異極配置にする）ことにより、回転子ユニット３全体の界磁が最も弱められる弱め界磁（図４（ｂ）参照。）の状態を得ることができるとともに、外周側回転子５と内周側回転子６の各磁石装着スロット７ａ，８ａ内の永久磁石９Ａ，９Ｂを互いに異極同士で対向させる（同極配置にする）ことにより、回転子ユニット３全体の界磁が最も強められる強め界磁の状態（図４（ａ）参照。）を得ることができる。
【００２０】
また、回転子ユニット３は、外周側回転子５と内周側回転子６を相対回動させるための回動機構１１を備えている。この回動機構１１は、両回転子５，６の相対位相を任意に変更するための位相変更手段１２を構成するものであり、非圧縮性の作動流体である作動液の圧力によって操作されるようになっている。位相変更手段１２は、上記の回動機構１１と、この回動機構１１に対する作動液の給排を制御する図示しない液圧制御装置と、を主要な要素として構成されている。
【００２１】
回動機構１１は、図１〜図３に示すように、回転軸４の外周に一体回転可能にスプライン嵌合されるベーンロータ１４と、ベーンロータ１４の外周側に相対回動可能に配置される環状ハウジング１５とを備え、この環状ハウジング１５が内周側回転子６の内周面に一体に嵌合固定されるとともに、ベーンロータ１４が、環状ハウジング１５と内周側回転子６の軸方向の両側の端面を跨ぐ円板状の一対のドライブプレート１６，１６（端板）を介して外周側回転子５に一体に結合されている。したがって、ベーンロータ１４は回転軸４および外周側回転子５と一体化され、環状ハウジング１５は内周側回転子６と一体化されている。なお、図３中２２は、ドライブプレート１６，１６とベーンロータ１４を結合するボルトを示し、２３は、ドライブプレート１６，１６と外周側回転子５を結合するボルトを示す。
【００２２】
ベーンロータ１４は、回転軸４にスプライン嵌合される円筒状のボス部１７の外周に、径方向外側に突出する複数（この例の場合、具体的には６枚）のベーン１８…が円周方向等間隔に設けられている。一方、環状ハウジング１５は、内周面に円周方向等間隔に複数（この例の場合、具体的には６個）の凹部１９…が設けられ、この各凹部１９にベーンロータ１４の対応するベーン１８が収容配置されるようになっている。各凹部１９は、ベーン１８の先端部の回転軌道にほぼ合致する円弧面を有する底壁２０と、隣接する凹部１９，１９同士を隔成する略三角形状の仕切壁２１によって構成され、ベーンロータ１４と環状ハウジング１５の相対回動時に、ベーン１８が一方の仕切壁２１と他方の仕切壁２１の間を変位し得るようになっている。なお、ベーン１８と仕切壁２１の設置数は、６に限らず複数であれば任意であるが、この場合も偶数個であることが望ましい。
【００２３】
ここで、複数の仕切壁２１…のうちの回転中心に対して対称な位置に配置される２つのものは、付根部側に円周方向両側に膨出する膨出部３０ａ，３０ｂを備え、付根部側の円周方向幅が他のものに比較して広くなっている。これにより、ベーンロータ１４と環状ハウジング１５の相対回動時には、膨出部３０ａまたは３０ｂが隣接するベーン１８と当接することによってベーンロータ１４と環状ハウジング１５の相対回動、延いては外周側回転子５と内周側回転子と６の相対回動を規制する。以下、この膨出部３０ａ，３０ｂを有する２つの仕切壁２１をストッパ仕切壁２１Ａと呼び、残余の４つの仕切壁２１を通常仕切壁２１Ｂと呼ぶものとする。ストッパ仕切壁２１Ａは上述のように隣接するベーン１８に当接して外周側回転子５と内周側回転子６の回動ストッパとして機能するが、このとき、通常仕切壁２１Ｂは隣接するベーン１８に当接せず、隣接するベーン１８の手前位置で停止する。
【００２４】
また、内周側回転子６に固定される環状ハウジング１５のベース部１５ａは一定厚みの円筒状に形成されるとともに、図２に示すように内周側回転子６や仕切壁２１に対して軸方向外側に突出している。このベース部１５ａの外側に突出した各端部は、ドライブプレート１６に形成された環状のガイド溝１６ａに摺動自在に保持され、環状ハウジング１５と内周側回転子６が、外周側回転子５や回転軸４にフローティング状態で支持されるようになっている。
【００２５】
外周側回転子５とベーンロータ１４を連結する両側のドライブプレート１６，１６は、仕切壁２１Ａ，２１Ｂを含む環状ハウジング１５の両側面（軸方向の両端面）に摺動自在に密接し、環状ハウジング１５の各凹部１９の側方を夫々閉塞する。したがって、環状ハウジング１５の各凹部１９は、ベーンロータ１４のボス部１７と両側のドライブプレート１６，１６とともに夫々独立した空間部を形成し、この空間部は、作動液が導入される導入空間となっている。各導入空間内は、ベーンロータ１４の対応する各ベーン１８によって夫々２室に隔成され、一方の部屋が進角側作動室２４（液室）、他方の部屋が遅角側作動室２５（液室）とされている。進角側作動室２４は、内部に導入された作動液の圧力によって内周側回転子６を外周側回転子５に対して遅角方向に相対回動させ、遅角側作動室２５は、内部に導入された作動液の圧力によって内周側回転子６を外周側回転子５に対して進角方向に相対回動させる。この場合、「進角」とは、内周側回転子６を外周側回転子５に対して、図１中の矢印Ｒで示す電動機１の主回転方向に進めることを言い、「遅角」とは、内周側回転子６を外周側回転子５に対して、電動機１の主回転方向Ｒと逆側に進めることを言うものとする。
【００２６】
また、各進角側作動室２４と遅角側作動室２５に対する作動液の給排は回転軸４を通して行われるようになっている。具体的には、進角側作動室２４は、液圧制御装置の進角側給排通路に接続され、遅角側作動室２５は同液圧制御装置の遅角側給排通路に接続されているが、進角側給排通路と遅角側給排通路の一部は、図２に示すように、夫々回転軸４に軸方向に沿って形成させた通路孔２６ａ，２７ａによって構成されている。そして、各通路孔２６ａ，２７ａの端部は、回転軸４の外周面の軸方向にオフセットした２位置に形成された環状溝２６ｂと環状溝２７ｂに夫々接続され、その各環状溝２６ｂ，２７ｂは、ベーンロータ１４のボス部１７に略半径方向に沿って形成された複数の導通孔２６ｃ…，２７ｃ…に接続されている。進角側の導通孔２６ｃは環状溝２６ｂと各進角側作動室２４とを接続し、遅角側の導通孔２７ｃは環状溝２７ｂと各遅角側作動室２５とを接続している。
【００２７】
この実施形態の電動機１の場合、内周側回転子６が外周側回転子５に対して最遅角位置にあるときに、内周側永久磁石９Ｂと外周側永久磁石９Ａが異極同士で対向して強め界磁の状態（図４（ａ）参照。）になり、内周側回転子６が外周側回転子５に対して最進角位置にあるときに、内周側永久磁石９Ｂと外周側永久磁石９Ａが同極同士で対向して弱め界磁の状態（図４（ｂ）参照。）になるように設定されている。
なお、この電動機１は、進角側作動室２４と遅角側作動室２５に対する作動液の給排制御によって、強め界磁の状態と弱め界磁の状態を任意に変更し得るものであるが、こうして磁界の強さが変更されると、それに伴って誘起電圧定数が変化し、その結果、電動機１の特性が変更される。すなわち、強め界磁によって誘起電圧定数が大きくなると、電動機１として運転可能な許容回転速度は低下するものの、出力可能な最大トルクは増大し、逆に、弱め界磁によって誘起電圧定数が小さくなると、電動機１の出力可能な最大トルクは減少するものの、運転可能な許容回転速度は上昇する。
【００２８】
ところで、ベーンロータ１４のストッパ仕切壁２１Ａと通常仕切壁２１Ｂは、夫々の軸方向の端面がドライブプレート１６の内面に対して摺動を許容するための微小隙間をもって対面するが、各仕切壁２１Ａ，２１Ｂの軸方向の端面には、図１，図５に示すように平面視が略三角状の保持溝３１が形成されている。この保持溝３１は、仕切壁２１Ａ，２１Ｂの端面に対して浅くほぼ平坦に窪んだ溝であり、進角側作動室２４や遅角側作動室２５から流れ込んだ作動液をその内部に滞留させ得るようになっている。なお、保持溝３１は、仕切壁２１Ａ，２１Ｂの外形に沿うように略三角形状に形成されているが、その形状は略三角形状に限らず任意である。ただし、この実施形態のように仕切壁２１Ａ，２１Ｂの外形に沿わせて保持溝３１を略三角形状に形成した場合には、保持溝３１による作動液の捕獲部面積を最大源に大きく確保することができる。
【００２９】
また、図７に拡大して示すように、環状ハウジング１５側のストッパ仕切壁２１Ａと通常仕切壁２１Ｂの各頂面には、回転軸４方向に沿うシール溝３２が形成され、この各シール溝３２内に、ベーンロータ１４のボス部１７の外周面に当接して仕切壁２１Ａ，２１Ｂとボス部１７の間をシールする樹脂製のシール部材３３と、このシール部材３３をボス部１７の外周面方向に付勢する板ばね３４（付勢部材）と、が収容されている。
同様に、ベーンロータ１４側の各ベーン１８の頂面には、図６に拡大して示すように、回転軸４方向に沿うシール溝３５が形成され、この各シール溝３５内に、環状ハウジング１５の内周面（凹部１９の底壁２０）に当接してベーン１８と環状ハウジング１５の間をシールする樹脂製のシール部材３６と、このシール部材３６を環状ハウジング１５の凹部１９の内壁２０（周面）方向に付勢する板ばね３７（付勢部材）と、が収容されている。
【００３０】
ここで、仕切壁２１Ａ，２１Ｂ側のシール部材３３と、ベーン１８側のシール部材３６は、形状やサイズ、重量等の規格の同じものが用いられているが、仕切壁２１Ａ，２１Ｂ側の板ばね３４とベーン１８側の板ばね３７は、ばね剛性の異なるものが用いられている。具体的には、電動機１の最高運転速度を考慮しつつ、仕切壁２１Ａ，２１Ｂ側の板ばね３７のばね剛性がベーン１８側の板ばね３７のばね剛性よりも大きく設定されている。
これは、相手部材に対する各シール部材３３，３６のシール方向と、遠心力Ｐの作用する向きを考慮したものである。
【００３１】
すなわち、図６，図７に示すように、各シール部材３３，３６に作用する遠心力Ｐの向きは、いずれも電動機１の径方向外側向きであるのに対し、各シール部材３３，３６のシール方向は夫々逆向き、具体的には、仕切壁２１Ａ，２１Ｂ側のシール部材３３のシール方向は径方向内側向きとなり、ベーン１８側のシール部材３６のシール方向は径方向外側向きとなっている。このため、仕切壁２１Ａ，２１Ｂ側のシール部材３３の相手部材に対する押圧力は遠心力Ｐの増大とともに減少し、ベーン１８側のシール部材３６の相手部材に対する押圧力は遠心力Ｐの増大とともに増大する。この実施形態の電動機１においては、仕切壁２１Ａ，２１Ｂ側の板ばね３７のばね剛性を予めベーン１８側の板ばね３７のばね剛性よりも大きく設定することにより、電動機１の回転速度が上昇した場合における仕切壁２１Ａ，２１Ｂ側のシール部材３３の押圧力の減少割合を小さくしている。
【００３２】
以上の構成において、この電動機１の界磁特性を変更する場合、液圧制御装置による作動液の給排により、進角側作動室２４と遅角側作動室２５の一方に作動液を供給するとともに他方から作動液を排出する。内周側回転子６が最遅角位置から最進角位置に向かって変位するときには、ストッパ仕切壁２１Ａの進角側作動室２４に臨む側の膨出部３０ｂが隣接するベーン１８に当接することによって回動を規制され（図１参照。）、逆に内周側回転子６が最進角位置から最遅角位置に向かって変位するときには、ストッパ仕切壁２１Ａの遅角側作動室２５に臨む側の膨出部３０ａが隣接するベーン１８に当接することによって回動を規制される。
【００３３】
この電動機１においては、外周側回転子５と内周側回転子６の相対的な回動を規制する際に、ストッパ仕切壁２１Ａのみが隣接するベーン１８に当接して、残余の通常仕切壁２１Ｂが隣接するベーン１８に当接しないようになっているため、２つのストッパ仕切壁２１Ａの膨出部３０ａ，３０ｂの端面を高い精度で仕上がることで、両回転子５，６の相対的な回動規制精度を高めることができる。そして、残余の４つの通常仕切壁２１Ｂは隣接するベーン１８に当接しないことから、ベーン１８に臨む側の面の加工精度をさして高める必要がない。このため、この電動機１においては、製造コストの高騰を抑制しつつ、両回転子５，６の回動規制精度を高めることができる。
【００３４】
また、この実施形態の電動機１にあっては、円周方向の両側に膨出部３０ａ，３０ｂを有する一対のストッパ仕切壁２１Ａ，２１Ａが環状ハウジング１５の回転中心に対して対称な位置に配置されているため、両ストッパ仕切壁２１Ａ，２１Ａが環状ハウジング１５の円周上でバランスし、環状ハウジング１５の回転バランスを良好に維持することができる。そして、この電動機１の場合、ストッパ仕切壁２１Ａ，２１Ａが回転方向でバランスすることから、部品組付時におけるバランス修正のための加工を軽減、若しくは、無くすことができる。
なお、環状ハウジング１５の回転バランスを考慮しなければ、ストッパ仕切壁２１Ａは環状ハウジング１５上に一つのみ設けることも可能である。
【００３５】
さらに、この実施形態の場合、環状ハウジング１５側の仕切壁２１Ａ，２１Ｂとベーンロータ１４側のベーン１８が夫々円周上に偶数個（６個）配置されているため、上記のようにストッパ仕切壁２１Ａを環状ハウジング１５の軸心に対称な２位置に配置しても、仕切壁２１Ａ，２１Ｂとベーン１８全体の回転バランスを良好に維持することができる。この場合も、回転バランスを考慮しなければ、仕切壁２１Ａ，２１Ｂとベーン１８は夫々円周上に奇数個配置することも可能である。
【００３６】
また、この実施形態の電動機１においては、ドライブプレート１６に対面する各仕切壁２１Ａ，２１Ｂの端面に保持溝３１を形成し、その保持溝３１に滞留する作動液によって仕切壁２１Ａ，２１Ｂとドライブプレート１６の間を潤滑しつつ、仕切壁２１Ａまたは２１Ｂを挟んだ隣接する作動室２４，２５間の液漏れを効果的に防止することができる。したがって、この電動機１を採用することにより、位相変更手段１２の作動の円滑化と、液圧エネルギーの効率利用を図ることができる。
【００３７】
さらに、この電動機１にあっては、仕切壁２１Ａ，２１Ｂ側のシール部材３３を付勢する板ばね３４のばね剛性が、ベーン１８側のシール部材３６を付勢する板ばね３７のばね剛性よりも大きく設定されているため、ベーン１８側のシール部材３６の摩擦抵抗の必要以上の増大を招くことなく、電動機１の回転上昇時における仕切壁２１Ａ，２１Ｂ側のシール部材３３の押圧力の低下を効果的に抑制することができる。したがって、高回転時における作動室２４，２５からの作動液の漏れを有効に防止することができる。また、仕切壁２１Ａ，２１Ｂ側とロータ１８側の各板ばね３４，３７は、それ自体のばね剛性が異なるものの、初期セット荷重をほぼ同じに設定することができる。このため、電動機１の回転速度が低い状況においても、シール部材３３による摺動抵抗が増大するのを回避することができる。
【００３８】
なお、この発明は上記実施形態に限定されるものではなく、その要旨を逸脱しない範囲で種々の設計変更が可能である。
【図面の簡単な説明】
【００３９】
【図１】この発明の一実施形態の電動機における回転子ユニットの一部部品を省略した正面図。
【図２】同実施形態の電動機の図１のＡ−Ａ断面に対応する断面図。
【図３】同実施形態の電動機の回転子ユニットの分解斜視図。
【図４】内周側永久磁石と外周側永久磁石が同極配置された強め界磁状態を模式的に示す図（ａ）と、内周側永久磁石と外周側永久磁石が異極配置された弱め界磁状態を模式的に示す図（ｂ）を併せて記載した図。
【図５】この発明の一実施形態の電動機の一部の部品を示す斜視図。
【図６】同実施形態を示す図２のＢ部の拡大図。
【図７】同実施形態を示す図２のＣ部の拡大図。
【符号の説明】
【００４０】
１…電動機
５…外周側回転子
６…内周側回転子
９Ａ…外周側永久磁石
９Ｂ…内周側永久磁石
１２…位相変更手段
１４…ベーンロータ
１５…環状ハウジング
１６…ドライブプレート（端板）
１８…ベーン
２１Ａ…ストッパ仕切壁（仕切壁）
２１Ｂ…通常仕切壁（仕切壁）
２４…進角側作動室（液室）
２５…遅角側作動室（液室）
３１…保持溝
３３，３６…シール部材
３４，３７…板ばね（付勢部材）
【図１】
2009027857.tif 000003
【図２】
2009027857.tif 000004
【図３】
2009027857.tif 000005
【図４】
2009027857.tif 000006
【図５】
2009027857.tif 000007
【図６】
2009027857.tif 000008
【図７】
2009027857.tif 000009